(57)【要約】【課題】本考案は、弾性力を利用して円柱状や円筒状の細長物品、例えば植物の茎や支柱を挟持するホルダークリップを提供する。【解決手段】本考案のホルダークリップは、２枚の前記挟持体Ａ，Ａの両端では前記円柱体又は円筒体２が上下に重なるように接触し、固定部分３を支点として左右両側に略三角筒形の空間部分４が形成される。円柱体又は円筒体２と円柱体又は円筒体２との接触部分を支柱Ｓ又は茎Ｔに当てて押し込み、左右の空間部分４にそれぞれ支柱Ｓと茎Ｔが挟み込まれるようにして前記弾性板片１の弾性力により支持する。【選択図】図１
0003127322.tif 000002
【実用新案登録請求の範囲】
【請求項１】
弾性力のある変形可能な適宜長さの長方形の弾性板片と、該弾性板片の片面の両端に沿って弾性力のある変形可能な円柱体又は円筒体を設けて挟持体を構成し、該挟持体同士の前記円柱体又は円筒体を内側にして向かい合わせて接触させ前記挟持体の中央部分を横断方向に互いに接合し、中央部分の横断方向に両者の固定部分を形成してなることを特徴とするホルダークリップ。
【請求項２】
弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から幅方向に至る切れ目を設けて挟持体を構成し、該挟持体同士の前記円柱体又は円筒体を内側にして点対称的に向かい合わせて接触させ前記挟持体の中央部分を互いに接合し、中央部分の横断方向に両者の固定部分を形成してなることを特徴とするホルダークリップ。
【請求項３】
弾性力のある変形可能な適宜長さの長方形の弾性板片と、該弾性板片の片面の両端に沿って弾性力のある変形可能な円柱体又は円筒体をそれぞれ設けて挟持体を構成し、該挟持体同士の前記円柱体又は円筒体を内側にして向かい合わせて接触させ前記挟持体の中央部分に所定間隔を設けて横断方向にそれぞれ接合して固定部分を形成し、中央部分に支柱嵌合部を形成してなることを特徴とするホルダークリップ。
【請求項４】
弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から幅方向に至る切れ目を設けて挟持体を構成し、該挟持体同士の前記円柱体又は円筒体を内側にして点対称的に向かい合わせて接触させ前記挟持体の中央部分に所定間隔を設けて横断方向にそれぞれ接合して固定部分を形成し、中央部分に支柱嵌合部を形成してなることを特徴とするホルダークリップ。
【請求項５】
弾性力のある変形可能な適宜長さの長方形の弾性板片と、該弾性板片の片面の一方端縁に沿って弾性力のある変形可能な円柱体又は円筒体を設けて一方の挟持体を構成し、弾性力のある変形可能な適宜長さの長方形の弾性板片と、該弾性板片の中央の横断方向に沿って弾性力のある変形可能な円柱体又は円筒体を設けて他方の挟持体を構成し、両挟持体同士の前記円柱体又は円筒体を内側にして向かい合わせて接触させ前記挟持体の重合部分を横断方向に互いに接合し、中央部分の横断方向に両者の固定部分を形成してなることを特徴とするホルダークリップ。
【請求項６】
弾性力のある変形可能な適宜長さの長方形の弾性板片と、該弾性板片の片面の両端に沿って弾性力のある変形可能な円柱体又は円筒体を設け、該円柱体又は円筒体を内側にして弾性板片の中央から二つ折りにして向かい合わせて接触させ、前記二つ折り部分から所定間隔を設けて横断方向に互いに接合して固定部分を形成して前記二つ折り部分から前記固定部分間に支柱嵌合部を形成してなることを特徴とするホルダークリップ。
【請求項７】
弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から幅方向に至る切れ目を点対称に設け、前記円柱体又は円筒体を内側にして弾性板片の中央から二つ折りにして向かい合わせて接触させ、前記二つ折り部分から所定間隔を設けて横断方向に互いに接合して固定部分を形成して前記二つ折り部分から前記固定部分間に支柱嵌合部を形成してなることを特徴とするホルダークリップ。
【考案の詳細な説明】
【技術分野】
【０００１】
本考案は、弾性力を利用して円柱状や円筒状の細長物品、例えば植物の茎や支柱を挟持するホルダークリップに関する。
【背景技術】
【０００２】
従来、花、植物、園芸野菜の茎蔓などの支持具として、茎蔓などを簡単に支柱に誘引支持できる支持バンドが一般的に知られている（特許文献１を参照）。
この公知技術は、支柱をしっかりと挟み込んで掴む、Ｃ形挟着片を有する支持具本体と、茎、蔓などを包むように回し止める支持バンドと、該支持バンドを誘引して通す支持バンド通し穴を一体物として形成したものである。
また、花、植物、園芸野菜の茎蔓などの支持具として、茎蔓などを簡単に支柱に誘引支持できる支持バンドが知られている（特許文献２を参照）。
この公知技術は、支柱をしっかりと挟み込んで掴むバネの付いた挟着片と、その先端に茎蔓などを包むように中に通して誘引支持バンドを一体物として形成したものである。
上記の公知技術は、いずれも茎、蔓などを包むように回してバンドで挟持するものであり、支持バンドの止め部分が緩みやすく、又作業がし難い欠点があった。
【０００３】
【特許文献１】特開２００５−３４１９２０号公報
【特許文献２】特開２００５−２２４２０４号公報
【考案の開示】
【考案が解決しようとする課題】
【０００４】
本考案は、弾性力を利用して円柱状や円筒状の細長物品、例えば植物の茎や支柱を挟持するホルダークリップを提供することを目的とする。
【課題を解決するための手段】
【０００５】
本考案のホルダークリップは、弾性力のある変形可能な適宜長さの長方形の弾性板片と、該弾性板片の片面の両端に沿って弾性力のある変形可能な円柱体又は円筒体を設けて挟持体を構成し、該挟持体同士の前記円柱体又は円筒体を内側にして向かい合わせて接触させ前記挟持体の中央部分を横断方向に互いに接合し、中央部分の横断方向に両者の固定部分を形成してなるものである。
【０００６】
本考案のホルダークリップは、弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から厚み方向に至る切れ目を設けて挟持体を構成し、該挟持体同士の前記円柱体又は円筒体を内側にして点対称的に向かい合わせて接触させ前記挟持体の中央部分を互いに接合し、中央部分の横断方向に両者の固定部分を形成してなるものである。
【０００７】
本考案のホルダークリップは、弾性力のある変形可能な適宜長さの長方形の弾性板片と、該弾性板片の片面の両端に沿って弾性力のある変形可能な円柱体又は円筒体をそれぞれ設けて挟持体を構成し、該挟持体同士の前記円柱体又は円筒体を内側にして向かい合わせて接触させ前記挟持体の中央部分に所定間隔を設けて横断方向にそれぞれ接合して固定部分を形成し、中央部分に支柱嵌合部を形成してなるものである。
【０００８】
本考案のホルダークリップは、弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から幅方向に至る切れ目を設けて挟持体を構成し、該挟持体同士の前記円柱体又は円筒体を内側にして点対称的に向かい合わせて接触させ前記挟持体の中央部分に所定間隔を設けて横断方向にそれぞれ接合して固定部分を形成し、中央部分に支柱嵌合部を形成してなるものである。
【０００９】
本考案のホルダークリップは、弾性力のある変形可能な適宜長さの長方形の弾性板片と、該弾性板片の片面の一方端縁に沿って弾性力のある変形可能な円柱体又は円筒体を設けて一方の挟持体を構成し、弾性力のある変形可能な適宜長さの長方形の弾性板片と、該弾性板片の中央の横断方向に沿って弾性力のある変形可能な円柱体又は円筒体を設けて他方の挟持体を構成し、両挟持体同士の前記円柱体又は円筒体を内側にして向かい合わせて接触させ前記挟持体の重合部分を横断方向に互いに接合し、中央部分の横断方向に両者の固定部分を形成してなるものである。
【００１０】
本考案のホルダークリップは、弾性力のある変形可能な適宜長さの長方形の弾性板片と、該弾性板片の片面の両端に沿って弾性力のある変形可能な円柱体又は円筒体を設け、該円柱体又は円筒体を内側にして弾性板片の中央から二つ折りにして向かい合わせて接触させ、前記二つ折り部分から所定間隔を設けて横断方向に互いに接合して固定部分を形成して前記二つ折り部分から前記固定部分間に支柱嵌合部を形成してなるものである。
【００１１】
本考案のホルダークリップは、弾性力のある変形可能な適宜長さの長方形の弾性板片と、該弾性板片の片面に中央より所定距離離れた横断方向位置に弾性力のある変形可能な円柱体又は円筒体をそれぞれ左右に設け、前記弾性板片の両端から所定距離離れた横断方向位置に側端部から幅方向に至る切れ目を点対称に設け、前記円柱体又は円筒体を内側にして弾性板片の中央から二つ折りにして向かい合わせて接触させ、前記二つ折り部分から所定間隔を設けて横断方向に互いに接合して固定部分を形成して前記二つ折り部分から前記固定部分間に支柱嵌合部を形成してなるものである。
【考案の効果】
【００１２】
本考案のホルダークリップは、茎や蔓（つる）、合成樹脂チューブやコードなどの円柱状又は円筒状の細長物品に弾性板片の円柱体又は円筒体の接触部分を当てて押し込むことにより、弾性板片の弾性力により簡単に細長物品を支持することができる効果がある。
本考案のホルダークリップは、支柱の大きさや茎の大きさに係わらず、弾性板片の弾性力により自動的に開口挟持することができるし、植物の成長過程に合わせて自動的に支持点の調整が行なわれ安定して保持することができる。
本考案のホルダークリップは、弾性板片の円柱体又は円筒体を上下方向の下向きに押し込むことで、例えばテーブルに置かれた物品の単なる掴み具としても使用でき、福祉器具としての用途にも適用できる。
【考案を実施するための最良の形態】
【００１３】
本考案のホルダークリップの第一実施例を添付図面に基づいて、以下に説明する。
図１の斜視図に示すように、本考案のホルダークリップは、弾性力のある変形可能な適宜長さの長方形の弾性板片１と、該弾性板片１の片面の両端に沿って弾性力のある変形可能な円柱体又は円筒体２を設けて挟持体Ａを構成し、該挟持体Ａ，Ａ同士の前記円柱体又は円筒体２を内側にして向かい合わせて接触させ前記挟持体Ａ，Ａの中央部分を横断方向に互いに接合し、中央部分の横断方向に両者の固定部分３を形成してなるものである。
したがって、２枚の前記挟持体Ａ，Ａの両端では前記円柱体又は円筒体２が上下に重なるように接触し、固定部分３を支点として左右両側に略三角筒形の空間部分４が形成される。
前記弾性板片１は、弾性変形可能な素材、例えばプラスチックで着色又は透明のいずれでもよい。
前記円柱体又は円筒体２は、弾性変形可能な素材、例えばプラスチックで着色又は透明のいずれでもよい。
【００１４】
図２の使用状態の平面図に示すように、円柱体又は円筒体２と円柱体又は円筒体２との接触部分を支柱Ｓ又は茎Ｔに当てて押し込み、左右の空間部分４にそれぞれ支柱Ｓと茎Ｔが挟み込まれるようにして前記弾性板片１の弾性力により支持する。
なお、前記弾性板片１と円柱体又は円筒体２とを別々に成型して挟持体Ａを形成したが、これに限らず、図３に示すように、前記弾性板片１と円柱体又は円筒体２とを一体に成型して挟持体Ａを形成することも可能である。
その場合には、前記弾性板片１の両端を内側にカールして円柱体又は円筒体２を形成すればよい。
【００１５】
本考案のホルダークリップの第二実施例を添付図面に基づいて、以下に説明する。
図４の斜視図に示すように、本考案のホルダークリップは、弾性力のある変形可能な適宜長さの長方形の弾性板片１と、該弾性板片１の片面に中央より所定距離離れた横断方向位置に弾性力のある変形可能な円柱体又は円筒体２をそれぞれ左右に設け、前記弾性板片１の両端から所定距離離れた横断方向位置に側端部から厚み方向に至る切れ目５を設けて挟持体Ｂを構成し、該挟持体Ｂ，Ｂ同士の前記円柱体又は円筒体２を内側にして点対称的に向かい合わせ前記挟持体Ｂ，Ｂの中央部分を互いに接合し、中央部分の横断方向に両者の固定部分３を形成してなるものである。
したがって、２枚の前記挟持体Ｂ，Ｂの両端では前記円柱体又は円筒体２が上下に重なるように接触し、固定部分３を支点として左右両側に略三角筒形の空間部分４が形成され、両端から少し離れた位置に係合用の切れ目５が形成される。
前記弾性板片１及び前記円柱体又は円筒体２は、弾性変形可能な素材、例えばプラスチックで着色又は透明のいずれでもよい。
【００１６】
図５の使用状態の平面図に示すように、円柱体又は円筒体２と円柱体又は円筒体２との接触部分を支柱Ｓ又は茎Ｔに当てて押し込み、左右の空間部分４にそれぞれ支柱Ｓと茎Ｔが挟み込まれるようにして前記弾性板片１の弾性力により支持する。
その後、使用している間に前記弾性板片１の弾性力が弱まった場合や強く締め付けたい場合には、前記弾性板片１の切れ目５，５同士を嵌合させて前記弾性板片１の挟持力により支持する。
その場合、前記弾性板片１，１により断面菱形状の空間が形成され、この菱形部分７は前記弾性板片１，１の挟持力が働き、茎Ｔなどは成長に応じて太くなるが菱形部分７が徐々に円形となり、植物の成長過程に合わせて自動的に支持点の調整が行なわれ過度の挟持力が茎Ｔなどに働くこととなり、一定の保持力により支持される。
【００１７】
本考案のホルダークリップの第三実施例を添付図面に基づいて、以下に説明する。
図６の斜視図に示すように、本考案のホルダークリップは、弾性力のある変形可能な適宜長さの長方形の弾性板片１と、該弾性板片１の片面の両端に沿って弾性力のある変形可能な円柱体又は円筒体２をそれぞれ設けて挟持体Ｃを構成し、該挟持体Ｃ，Ｃ同士の前記円柱体又は円筒体２を内側にして向かい合わせ前記挟持体Ｃ，Ｃの中央部分に所定間隔を設けて横断方向にそれぞれ接合して固定部分３を形成し、中央部分に支柱嵌合部６を形成してなるものである。
したがって、２枚の前記挟持体Ｃ，Ｃの両端では前記円柱体又は円筒体２が上下に重なるように接触し、固定部分３を支点として左右両側に略三角筒形の空間部分４が形成され、中央部分の横断方向に支柱嵌合部６が形成される。
【００１８】
前記弾性板片１及び前記円柱体又は円筒体２は、弾性変形可能な素材、例えばプラスチックで着色又は透明のいずれでもよい。
使用する場合は、図８に示すように、前記支柱嵌合部６に支柱Ｓを差し込み、円柱体又は円筒体２と円柱体又は円筒体２との接触部分を茎Ｔに当てて押し込み、左右の空間部分４にそれぞれ茎Ｔが挟み込まれるようにして前記弾性板片１の弾性力により支持することができる。
【００１９】
本考案のホルダークリップの第四実施例を添付図面に基づいて、以下に説明する。
図７の斜視図に示すように、本考案のホルダークリップは、弾性力のある変形可能な適宜長さの長方形の弾性板片１と、該弾性板片１の片面に中央より所定距離離れた横断方向位置に弾性力のある変形可能な円柱体又は円筒体２をそれぞれ左右に設け、前記弾性板片１の両端から所定距離離れた横断方向位置に側端部から幅方向に至る切れ目５を設けて挟持体Ｄを構成し、該挟持体Ｄ，Ｄ同士の前記円柱体又は円筒体２を内側にして点対称的に向かい合わせ前記挟持体Ｄ，Ｄの中央部分に所定間隔を設けて横断方向にそれぞれ接合して固定部分３を形成し、中央部分に支柱嵌合部６を形成してなるものである。
したがって、２枚の前記挟持体Ｄ，Ｄの前記円柱体又は円筒体２が上下に重なるように接触し、固定部分３を支点として左右両側に略三角筒形の空間部分４が形成され、両端から少し離れた位置に係合用の切れ目５が形成され、中央部分に支柱嵌合部６が形成される。
前記弾性板片１及び前記円柱体又は円筒体２は、弾性変形可能な素材、例えばプラスチックで着色又は透明のいずれでもよい。
【００２０】
図８の使用状態を示す斜視図に示すように、中央の支柱嵌合部６に支柱Ｓが嵌合され、円柱体又は円筒体２と円柱体又は円筒体２との接触部分を茎Ｔに当てて押し込み、左右の空間部分４にそれぞれ茎Ｔが挟み込まれるようにして前記弾性板片１の弾性力により支持する。
その後、使用している間に前記弾性板片１の弾性力が弱まった場合や強く締め付けたい場合には、前記弾性板片１の切れ目５，５同士を嵌合させて前記弾性板片１の挟持力により支持する。
【００２１】
本考案のホルダークリップの第五実施例を添付図面に基づいて、以下に説明する。
図９の斜視図に示すように、本考案のホルダークリップは、弾性力のある変形可能な適宜長さの長方形の弾性板片１と、該弾性板片１の片面の一方端縁に沿って弾性力のある変形可能な円柱体又は円筒体２を設けて一方の挟持体Ｅを構成し、弾性力のある変形可能な適宜長さの長方形の弾性板片１と、該弾性板片１の中央の横断方向に沿って弾性力のある変形可能な円柱体又は円筒体２を設けて他方の挟持体Ｆを構成し、両挟持体Ｅ，Ｆ同士の前記円柱体又は円筒体２を内側にして向かい合わせて接触させ前記挟持体Ｅ，Ｆの重合部分を横断方向に互いに接合し、中央部分の横断方向に両者の固定部分３を形成してなるものである。
したがって、２枚の前記挟持体Ｅ，Ｆの片方端では前記円柱体又は円筒体２が上下に重なるように接触し、固定部分３を支点として略三角筒形の空間部分４が形成される。
前記弾性板片１及び前記円柱体又は円筒体２は、弾性変形可能な素材、例えばプラスチックで着色又は透明のいずれでもよい。
なお、前記弾性板片１の一方端の隅角を切除して嘴状に形成しているが、これに限らず、必要に応じて多種多様の形状にすることができる。
【００２２】
図１０の使用状態を示す斜視図のように、表面に差込部Ｍを形成した医療用粘着テープＮに弾性板片１を差し込み、図１１の使用状態を示す斜視図のように、点滴用のチューブＰを円柱体又は円筒体２で支持することができる。
また、図１２の断面図に示すように、長尺帯体Ｑなどに本考案のホルダークリップを所定間隔で固定することにより、例えば通信コード（図示せず）をそれぞれ円柱体又は円筒体２に支持させ、実線矢印で図示する方向に丸めることにより、外側に通信コードが円筒状又は螺旋状に纏（まと）められるし、逆に破線矢印で図示する方向に丸めることにより、内側に通信コードが円筒状又は螺旋状に纏めることができる。
【００２３】
本考案のホルダークリップの第六実施例を添付図面に基づいて、以下に説明する。
図１３の斜視図に示すように、本考案のホルダークリップは、弾性力のある変形可能な適宜長さの長方形の弾性板片１と、該弾性板片１の片面の両端に沿って弾性力のある変形可能な円柱体又は円筒体２を設け、該円柱体又は円筒体２を内側にして弾性板片１の中央から二つ折りにして向かい合わせて接触させ、前記二つ折り部分８から所定間隔を設けて横断方向に互いに接合して固定部分３を形成して前記二つ折り部分８から前記固定部分３間に支柱嵌合部６を形成してなるものである。
したがって、二つ折りした弾性板片の両端では前記円柱体又は円筒体２が上下に重なるように接触し、前記二つ折り部分８に支柱嵌合部６が形成され、反対側に固定部分３を支点として略三角筒形の空間部分４が形成される。
前記弾性板片１は、弾性変形可能な素材、例えばプラスチックで着色又は透明のいずれでもよい。
前記円柱体又は円筒体２は、弾性変形可能な素材、例えばプラスチックで着色又は透明のいずれでもよい。
前記弾性板片１の円柱体又は円筒体２と円柱体又は円筒体２との接触部分を支柱Ｓ又は茎Ｔに当てて押し込み、前記空間部分４に支柱Ｓ又は茎Ｔが挟み込まれるようにして前記弾性板片１の弾性力により支持する。
【００２４】
本考案のホルダークリップの第七実施例を添付図面に基づいて、以下に説明する。
図１４の斜視図に示すように、本考案のホルダークリップは、弾性力のある変形可能な適宜長さの長方形の弾性板片１と、該弾性板片１の片面に中央より所定距離離れた横断方向位置に弾性力のある変形可能な円柱体又は円筒体２をそれぞれ左右に設け、前記弾性板片１の両端から所定距離離れた横断方向位置に側端部から幅方向に至る切れ目５を点対称に設け、前記円柱体又は円筒体２を内側にして弾性板片１の中央から二つ折りにして向かい合わせて接触させ、前記二つ折り部分８から所定間隔を設けて横断方向に互いに接合して固定部分３を形成して前記二つ折り部分８から前記固定部分３間に支柱嵌合部６を形成してなるものである。
したがって、二つ折りした弾性板片の中間では前記円柱体又は円筒体２が上下に重なるように接触し、両端に対称的に切れ目５が位置し、前記二つ折り部分８に支柱嵌合部６が形成され、反対側に固定部分３を支点として略三角筒形の空間部分４及び菱形部分７空間を形成する切れ目５が設けられる。
前記弾性板片１は、弾性変形可能な素材、例えばプラスチックで着色又は透明のいずれでもよい。
前記円柱体又は円筒体２は、弾性変形可能な素材、例えばプラスチックで着色又は透明のいずれでもよい。
前記弾性板片１の円柱体又は円筒体２と円柱体又は円筒体２との接触部分を支柱Ｓ又は茎Ｔに当てて押し込み、前記空間部分４に支柱Ｓ又は茎Ｔが挟み込まれるようにして前記弾性板片１の弾性力により支持し、その後、使用している間に前記弾性板片１の弾性力が弱まった場合や強く締め付けたい場合には、前記弾性板片１の切れ目５，５同士を嵌合させて菱形部分７を形成して前記弾性板片１の挟持力により支持する。
【図面の簡単な説明】
【００２５】
【図１】本考案の第一実施例のホルダークリップの斜視図である。
【図２】本考案の第一実施例のホルダークリップの使用状態を示す平面図である。
【図３】本考案の第一実施例のホルダークリップの端部をカールした場合の斜視図である。
【図４】本考案の第二実施例のホルダークリップの斜視図である。
【図５】本考案の第二実施例のホルダークリップの使用状態を示す平面図である。
【図６】本考案の第三実施例のホルダークリップの斜視図である。
【図７】本考案の第四実施例のホルダークリップの斜視図である。
【図８】本考案の第四実施例のホルダークリップの使用状態を示す平面図である。
【図９】本考案の第五実施例のホルダークリップの斜視図である。
【図１０】本考案の第五実施例のホルダークリップの使用状態を示す斜視図である。
【図１１】本考案の第五実施例のホルダークリップの使用状態を示す斜視図である。
【図１２】本考案の第五実施例のホルダークリップの使用状態を示す断面図である。
【図１３】本考案の第六実施例のホルダークリップの使用状態を示す斜視図である。
【図１４】本考案の第七実施例のホルダークリップの使用状態を示す斜視図である。
【符号の説明】
【００２６】
１  弾性板片
２  円柱体又は円筒体
３  固定部分
４  空間部分
５  切れ目
６  支柱嵌合部
７  菱形部分
８  二つ折り部分
【図１】
0003127322.tif 000003
【図２】
0003127322.tif 000004
【図３】
0003127322.tif 000005
【図４】
0003127322.tif 000006
【図５】
0003127322.tif 000007
【図６】
0003127322.tif 000008
【図７】
0003127322.tif 000009
【図８】
0003127322.tif 000010
【図９】
0003127322.tif 000011
【図１０】
0003127322.tif 000012
【図１１】
0003127322.tif 000013
【図１２】
0003127322.tif 000014
【図１３】
0003127322.tif 000015
【図１４】
0003127322.tif 000016
【手続補正書】
【提出日】平成18年9月16日(2006.9.16)
【手続補正１】
【補正対象書類名】明細書
【補正対象項目名】００１６
【補正方法】変更
【補正の内容】
【００１６】
図５の使用状態の平面図に示すように、円柱体又は円筒体２と円柱体又は円筒体２との接触部分を支柱Ｓ又は茎Ｔに当てて押し込み、左右の空間部分４にそれぞれ支柱Ｓと茎Ｔが挟み込まれるようにして前記弾性板片１の弾性力により支持する。
その後、使用している間に前記弾性板片１の弾性力が弱まった場合や強く締め付けたい場合には、前記弾性板片１の切れ目５，５同士を嵌合させて前記弾性板片１の挟持力により支持する。
その場合、前記弾性板片１，１により断面菱形状の空間が形成され、この菱形部分７は前記弾性板片１，１の挟持力が働き、茎Ｔなどは成長に応じて太くなるが菱形部分７が徐々に円形となり、植物の成長過程に合わせて自動的に支持点の調整が行なわれ適度の挟持力が茎Ｔなどに働くこととなり、一定の保持力により支持される。